(57)【要約】 【課題】実際の使用時にカバーやシャーシ本体に歪みが生じた場合に隙間が生じて虫が侵入してしまう点を解消することができる照明器具を提供する。【解決手段】照明器具１は、シャーシ本体３の外周縁部に下方に折り返した折返面３ａを形成し、カバー４の開口４Ａ周縁に上方へ立ち上がる立設面４ａを形成し、開口４Ａ周縁部と立設面４ａとに接触する部位に折返面３ａと弾性変形した状態で接触する侵入阻止部材５を設けた。【効果】侵入阻止部材５が弾性復元し得る状態で折返面３ａと立設面４ａとの間に介在するから、実使用時において、シャーシ本体３に歪みが生じたり、カバー４が熱膨張して変形して歪みが生じても、これらの歪みは吸収されて確実にシャーシ本体３とカバー４とで生じる隙間を埋めることができる。【選択図】  図１
2007109436.tif 000002
【特許請求の範囲】
【請求項１】
光源と、この光源と電気的に接続してこれを制御する制御部と、この制御部及び光源を設けたシャーシ本体と、前記シャーシ本体の前記光源側で該光源を覆うために上部のみが開口されたカバーを有した照明器具において、前記シャーシ本体の外周縁部に下方に折り返した折返面を形成し、前記カバーの前記開口周縁に上方へ立ち上がる立設面を形成し、前記カバーの開口周縁部と前記立設面とに接触する部位に、前記シャーシ本体の前記折返面と弾性変形した状態で接触する侵入阻止部材を設けたことを特徴とする照明器具。
【請求項２】
カバーの立設面と連続して、前記カバーの開口中心とは反対側へ伸びる延設面を形成したことを特徴とする請求項１記載の照明器具。
【請求項３】
侵入阻止部材における折返面と接触する面に、該侵入阻止部材と折返面との摺動を円滑にするフィルムを貼着したことを特徴とする請求項１又は２記載の照明器具。
【請求項４】
シャーシ本体に天井取付用の取付部を備え、この取付部の近傍にも侵入阻止部材を設けて、前記取付部の周縁部と天井取付部位との間の隙間を埋めるようにしたことを特徴とする請求項１〜３のいずれかに記載の照明器具。
【発明の詳細な説明】
【技術分野】
【０００１】
本発明は、内部に虫が侵入することを防止することができる照明器具に関する。
【背景技術】
【０００２】
照明器具は、光源である電球（蛍光灯も白熱灯も含むこととする）と、この電球と電気的に接続してこれを制御する制御部と、この制御部及び電球を設けたシャーシ本体と、電球及びシャーシ本体における電球側（発光側）を覆う透光性のカバーを有する。なお、天井などに取り付ける種類の照明器具においては、前記シャーシ本体に、取付部などの機構を有する。
【０００３】
上記構成の照明器具においては、従来より、光を好む虫がカバー内に侵入して、該カバー内で死骸化してそれを取り除く手間や、汚れを清掃する手間、あるいは電気的なトラブルを防止するという観点から、各種防虫構造を採用している。
【０００４】
例えば、カバーにより電球からの光を偏光し、虫が寄りつかないようにするものとしては以下の特許文献１〜３が存在する。
【特許文献１】特開２０００−６７６２９号公報
【特許文献２】特開２００４−１８２８５２号公報
【特許文献３】特開２００２−１３３９１９号公報
【０００５】
特許文献１は、虫が好む光の波長を除去する紫外線吸収剤を含有させてカバーを作成した構成としている。また、特許文献２，３は、虫が好む光の波長を除去するフィルムを貼り付けたカバーを採用した構成としている。
【０００６】
また、例えば、虫のカバー内への侵入経路となる隙間やその近傍に、虫忌避剤を保持した以下の特許文献４が存在する。
【特許文献４】特開２０００−１６４０２４号公報
【０００７】
上記特許文献１〜４は、確かに虫が寄りつかないようにしている点ではカバー内に虫が侵入することの予防にはなるが防止にはならない。その理由は、上記した特許文献１〜３は虫が「嫌う」光に偏光できるわけではなく、また、特許文献４は虫忌避剤の持続性に疑問があり、結果的に「光」に向かうという虫の習性そのものを長期に亘って抑制できるというものではない。したがって、飛来中などに偶然にもカバー内に侵入してしまうことまでは防止できない。
【０００８】
以上のことから、結局は、カバーとシャーシ本体との接合部分を隙間を埋めて虫が物理的に侵入できないようにすることが対処としては最も効果的と言える。そのように構成した照明器具として、例えば以下の特許文献５が存在する。
【特許文献５】特開平１１−２３８４０９号公報
【０００９】
特許文献５は、カバーの開口における上端縁部を断面コ字状に形成し、カバーをシャーシ本体に取り付けたときに、断面コ字状の上部水平部分をシャーシ本体における上部水平面に押しつける構成とされている。この構成によってカバーとシャーシ本体との隙間を埋めて虫の侵入を防止することができるようにしている。
【発明の開示】
【発明が解決しようとする課題】
【００１０】
しかしながら、上記した特許文献５は、本出願人の（以下の実施例において行った）実験の結果、次の問題があることが判明した。すなわち、特許文献５で示されるような天井取付用の照明器具においては、シャーシ本体における天井への取付部位に照明器具全体の荷重が集中する。このとき、応力によりシャーシ本体外側（外周部）が内側（中心部）より下方斜めに歪む。
【００１１】
上記歪みは、一様に生じるならば、つまりシャーシ本体外側へ向かって下る斜面が平坦であるならば、カバーの開口における断面コ字状の上部水平部分もまた平坦であれば、互いに隙間を生じさせることなく当接させることができる。
【００１２】
しかし、上記歪みは、一様ではないので、結局、特許文献５の構造を採用したとしても０．５ｍｍ程度の隙間が生じてしまうことが判明した。そして、虫は０．５ｍｍもの隙間があれば侵入してしまうので、特許文献５の構成は、理論上は可能であっても実用上は思ったほど効果が無いということが判明した。
【００１３】
この歪みを解消するために、本出願人は、シャーシ本体の上部水平面の素材を剛性の高いものとする、あるいは厚みを厚くする、という策を講じることで解消することも試みた。しかし、厚みを厚くしたり素材を変えると、その分だけ照明器具全体の重量が増して天井面の強度が不足するという不具合や、コストが高くなるという不具合が生じて、いずれも実用的ではなかった。
【００１４】
また、概ね樹脂材料でなるカバーは、特許文献５に記載されるように熱が加わると熱膨張により変形して隙間が生じることも判明した。以上のことから、特許文献５の構成においては、カバー及びシャーシ本体で、いずれも使用時に歪みが発生するから、実際上、隙間を埋めてカバー内へ虫が侵入することを防止する効果はさほど得られなかった。
【００１５】
本発明が解決しようとする問題点は、実際の使用時にカバーやシャーシ本体に歪みが生じた場合に隙間が生じて虫が侵入してしまう点を解消することにある。
【課題を解決するための手段】
【００１６】
上記問題点を解消するために、本発明は、光源と、光源を制御する制御部と、制御部及び光源を設けたシャーシ本体と、光源を覆うために上部のみが開口されたカバーを有した照明器具において、シャーシ本体の外周縁部に下方に折り返した折返面を形成し、カバーの開口周縁に上方へ立ち上がる立設面を形成し、カバーの開口周縁部と立設面とに接触する部位に、シャーシ本体の折返面と弾性変形した状態で接触する侵入阻止部材を設けたのである。
【００１７】
また、本発明は、上記構成において、立設面と連続して、カバーの開口中心とは反対側へ伸びる延設面を形成してもよい。さらに、本発明は、上記構成において、侵入阻止部材における折返面と接触する面に、該侵入阻止部材と折返面との摺動を円滑にするフィルムを貼着してもよい。
【００１８】
また、本発明は、上記構成において、シャーシ本体に天井取付用の取付部を備え、この取付部の近傍にも侵入阻止部材を設けて、取付部の周縁部と天井取付部位との間の隙間を埋めるようにしてもよい。
【発明の効果】
【００１９】
本発明に係る照明器具は、次の効果を有する。シャーシ本体に関しては折返部が該シャーシ本体の外周縁部を下方に折り返して形成されているので、この部位での実使用上における歪みが発生する可能性を払拭できる。
【００２０】
一方で、カバー側での実使用上の熱膨張や歪みが発生することは避けられないものの、前記折返面と立設面との隙間に弾性変形する侵入阻止材を設けることで、シャーシ本体の歪みやカバーの歪みを吸収することができる。
【００２１】
副次的な結果として、侵入阻止材を弾性変形させて前記隙間に介在させる構成とすることで、カバーが熱膨張したり歪んだりしてもシャーシ本体に容易に取り付けられるよう立設面と折返面との隙間を比較的広く設けることができる。
【００２２】
また、本発明は、上記構成において、立設面と連続して、カバーの開口中心とは反対側へ伸びる延設面を形成した場合は、カバーの開口周縁部、立設面、延設面、の３面で侵入阻止部材を囲って安定的に位置させることができる。この結果、侵入阻止部材の、製造時における組み立て作業や、使用時における取り替え作業が容易となる。
【００２３】
また、本発明は、上記構成において、侵入阻止部材における折返面と接触する面に、該侵入阻止部材と折返面との摺動を円滑にするフィルムを貼着した場合は、折返面と立設面との間で侵入阻止部材を摺動させつつ弾性変形させやすくなり、カバーをシャーシ本体に取り付けやすくなる。
【００２４】
また、天井取付タイプの照明器具であって、天井側の取付部材の寸法を許容するようにシャーシ本体側の寸法に余裕を持たせている場合は、照明器具の取付部の近傍と天井取付部位との間に隙間が生じるが、本発明において、取付部の周縁部にも侵入阻止部材を設けることで、前記隙間を埋めることができる。
【発明を実施するための最良の形態】
【００２５】
本発明は、以下に、図１〜図３を用いて説明する最良の形態により実施可能である。
図１は、本発明の照明器具の概略構成を示す断面図である。図２は、本発明の照明器具の要部拡大図である。図３は、本発明の照明器具の侵入阻止部材を示す図である。なお、説明と図面が煩雑になるのを避けるために、図面では発明とは直接関係のない部材等を示さず、また、図示しない部材については参照符合を省略し、説明を簡略にした。
【００２６】
本発明の照明器具１について、本例では、天井Ｐに取り付けて使用するものを示す。照明器具１は、不図示の光源、光源を制御する制御部２、制御部２及び光源を設けたシャーシ本体３、光源を覆うためのカバー４、虫がカバー４内に侵入するのを防止する侵入阻止部材５，６、及び天井Ｐへ全体を取り付けるための取付部７を有している。
【００２７】
制御部２は、本例においては、シャーシ本体３の中央部位において後述する取付部５を構成する筐体内に集中的に設けられている。シャーシ本体３は、本例では、天板３Ａと、光源取付用の取付板３Ｂとからなる。
【００２８】
また、シャーシ本体３は、天板３Ａの周縁部を下方に垂下するように折り返した折返面３ａを設けている。折返面３ａには、例えば後述するカバー４を取り付けるための不図示の係合部材などが設けられている。
【００２９】
カバー４は、本発明では該カバー４内に虫が入らないようにすることを前提としているので光源の照射面及び側方面には何らの開口が存在していない。したがって、カバー４は上部にのみ開口４Ａが形成されている。
【００３０】
カバー４は、開口４Ａの周縁部から連続して上方に立ち上がった立設面４ａが形成されている。すなわち、本例では、立設面４ａは、カバー４をシャーシ本体３に取り付けたときには上記した折返面３ａと平行に対向した状態となる。
【００３１】
また、カバー４は、立設面４ａと直交状で、開口４Ａの中心とは反対側に伸びるように延設した延設面４ｂが形成されている。この延設面４ａにおける開口４Ａとは反対側に向いた端部は、カバー４をシャーシ本体３に取り付けたとき、折返面３ａの内面には当接しないよう余裕を設けている。この理由は後述する。
【００３２】
侵入阻止部材５は、例えば発泡樹脂であるスポンジなど、弾性変形する材料を選択する。また、侵入阻止部材５は、本例では、折返面３ａに臨む面に、該折返面３ａと接触したときに摺動を容易とするフィルム５ａを貼着している。
【００３３】
侵入阻止部材５は、断面矩形とされ、開口４Ａの周縁部の面と、立設面４ａと、延設面４ｂとの３面が囲まれた空間に、折返面３ａに臨む側から挿入して配置する。その後、カバー４をシャーシ本体３に取り付けるときに、侵入阻止部材５を立設面４ａ側へ押し込んで弾性変形させる。
【００３４】
カバー４がシャーシ本体３に取り付けられたときには、侵入阻止部材５が弾性復元しようとして折返面３ａに押圧した状態で接触する。侵入阻止部材５は、弾性復元により立設面４ａ（と折返面３ａの双方）へ押圧するので、立設面４ａと折返面３ａの隙間は確実に埋まる。
【００３５】
また、侵入阻止部材５は、例えば、カバー４の取り付け作業性を容易とすべく立設面４ａと折返面３ａの間隔が広くした場合、使用時の熱膨張によってカバー４が歪んで製造時には生じ得ない隙間が発生する場合、いずれの場合であってもこれらの歪みを吸収して確実に隙間を埋めるから、実使用時にあっても確実に虫の侵入を防止できる。
【００３６】
また、本例では、侵入阻止部材５が開口４Ａの周縁部の面、立設面４ａ、延設面４ｂの３面で囲まれるので、確実かつ容易に適所に位置させることができ、また、貼り付けたりしているわけではないので、新たな侵入阻止部材５に取り替えることが容易である。
【００３７】
さらに、侵入阻止部材５にはフィルム５ａが貼着されているから、カバー４をシャーシ本体３に取り付ける際に折返面３ａに侵入阻止部材５が押圧されても摩擦力が低減して、摺動させやすく、したがってカバー４をシャーシ本体３に取り付けやすくなる。
【００３８】
一方、侵入阻止部材６は、取付部７の近傍、本例では、取付部７の周りを囲んだ状態で天板３Ａの上面に設けられている。そして侵入阻止部材６は、シャーシ３を取付部７によって天井Ｐに取り付ける際に弾性変形し、天板３Ａと天井Ｐの化粧面との間の隙間を埋める。
【００３９】
このようにすることで、カバー４とシャーシ本体３との隙間のみならず、取付部７とシャーシ本体３との間に例え隙間が存在しているような場合であっても、この隙間を埋めるから、虫の侵入を確実に防止できる。
【００４０】
取付部７は、天井Ｐに設けられている、いわゆる引っ掛けシーリングタイプの取付用部材に対して、電気的にも接続するものである。上記したように、取付部７の内部には制御部２が搭載されている。取付部７は、シャーシ本体４と隙間なく一体とされている場合は必ずしも侵入阻止部材６を必要としない。
【００４１】
上記した例のほか、例えば延設面４ｂを省略してもよい。その場合は、侵入阻止部材５と立設面４ａとを接着しておくと、侵入阻止部材５の取り替えはできなくなるものの、該侵入阻止部材５を延設面４ｂの省略された上方へ逃がしつつ大きく弾性変形させることが可能となる。これにより、結果的に、カバー４をシャーシ本体３へ取り付ける際の作業性が向上する。
【００４２】
また、上記した例のほか、例えば侵入阻止部材５におけるフィルム５ａを省略してもよい。この場合、カバー４をシャーシ本体３に取り付ける際の作業性は低下する可能性があるものの、摺動しにくくなることと侵入阻止部材５の弾性復元力とによってカバー４をシャーシ本体３に保持させておくことができるから、カバー４をシャーシ本体３に取り付けるための部材を省略してコストダウンを図ることができる。
【実施例】
【００４３】
以下、本発明に係る照明器具の効果を確認するために行った実験の結果を示す。
実験は、本発明に係る照明器具の構成を採用した実施例１、実施例２と、前記特許文献５の構成を採用した比較例とを用いて、虫がどれだけ侵入したかを確認した。
【００４４】
実験条件は、周りに街灯などが存在しない郊外の屋外において、各照明器具を互いに１ｍの間隔で三角状に配置し、屋外であるため実施例１，２及び比較例共にそれぞれスタンドから吊り下げて配置した。そして、実施例１，２及び比較例を８６Ｗで２４時間点灯させて、所定の日に所定時間観察して虫の侵入経路を確認すると共に、侵入した虫の大きさ及び数を確認した。この結果を下記の表１に示す。
【００４５】
なお、実施例１は、上記した発明の実施の形態において、図１の構成から延設面４ｂを省略している。実施例２は、上記した発明の実施の形態において、図１の構成である。また、実施例１，２共に天井Ｐが存在しない条件での実験であるため、侵入阻止部材６を採用しなかった。また、実施例１，２は共に侵入阻止部材５にはフィルム５ａを貼着している。
【００４６】
【表１】
2007109436.tif 000003
【００４７】
実施例１，２は、数に違いがあるが、虫が侵入した経路は観察した限りにおいて全てシャーシ本体３における取付部７の若干の隙間であった。したがって、実施例１，２は、侵入阻止部材５を設けたカバー４とシャーシ本体３の隙間から虫が侵入しないことが判明した。また、侵入した虫はいずれも１〜２ｍｍ程度の大きさであった。
【００４８】
一方、比較例は、スタンドから吊り下げていることで、シャーシ本体の平坦度が損なわれ、かつカバーが膨張することで、カバーとシャーシ本体との間に隙間が生じ、その隙間から虫が侵入した。侵入した虫の大きさは、実施例１，２と同じく１〜２ｍｍ程度の大きさであったが、これらの大きさの虫が実施例１，２では侵入しなかった経路から侵入していた。
【００４９】
以上のことから、本発明に係る照明器具は、実際に使用したときにカバー４とシャーシ本体３とに生じる、偏荷重によってシャーシ本体３側で生じる歪み、あるいはカバー４の熱膨張による変形によって生じる歪み、を侵入阻止部材５が吸収してなお弾性復元により虫の侵入経路を埋めるので、確実に虫がカバー４内に侵入することを防止できることが判明した。
【産業上の利用可能性】
【００５０】
本発明に係る照明器具は、上記では、侵入阻止部材５としてスポンジを例示したが、熱によって軟化しにくいゴム、あるいは樹脂といったように弾性変形し得る材料であれば特に限定しない。そして、本発明は、上記では、屋内家庭用を例にしたが、屋外で使用する業務用の照明器具の構成に使用してもよい。
【図面の簡単な説明】
【００５１】
【図１】本発明の照明器具の概略構成を示す図である。
【図２】本発明の照明器具におけるカバーとシャーシ本体との取り付け部位周辺を示す部分拡大図である。
【図３】（ａ）（ｂ）は本発明の照明器具における侵入阻止部材を示す図である。
【符号の説明】
【００５２】
１  照明器具
２  制御部
３  シャーシ本体
３Ａ  天板
３ａ  折返面
４  カバー
４ａ  立設面
４ｂ  延設面
５  侵入阻止部材
５ａ  フィルム
６  侵入阻止部材
７  取付部
【図１】
2007109436.tif 000004
【図２】
2007109436.tif 000005
【図３】
2007109436.tif 000006